(57)【特許請求の範囲】
【請求項１】
コンセントに取り付けられたコンセントアダプタと、前記コンセントアダプタの給電の制御を行うサービス制御装置と、前記サービス制御装置へサービス要求を行う携帯通信端末と、を有するコンセント貸出システムであって、
前記コンセントアダプタは、
前記携帯通信端末および前記サービス制御装置と通信回線で接続され、
前記携帯通信端末から受信したユーザが選択したサービスの時間、料金および料金の精算に必要な情報を含むサービス利用情報を前記サービス制御装置へ送信し、前記サービス制御装置において前記サービス利用情報に基づく料金の精算が行われた後、前記サービス制御装置から給電時間および給電の開始の指示を受信する通信部と、
前記給電の開始の指示に応じて携帯電子機器への給電を開始し、前記給電時間の経過後に携帯電子機器への給電を停止する給電部と、
を備え、
前記サービス制御装置は、
前記サービス利用情報に基づいて前記ユーザによって選択された支払方法を用いた料金の精算を行う精算部と、
前記携帯通信端末に対し、サービスの時間および料金を含んだメニューと料金の支払方法の選択肢とを表示する指示を送信し、前記精算部による料金の精算が完了した後、前記コンセントアダプタに対し前記給電時間および前記給電の開始の指示を送信する指示部と、
を備え、
前記携帯通信端末は、
ユーザから操作されることによって、前記サービス利用情報を前記コンセントアダプタに送信し、
前記指示部によって指示されたサービスの時間および料金を含んだメニューと料金の支払方法の選択肢とを表示し、
前記指示部によって送信された前記給電時間をタイマー形式で表示することを特徴とするコンセント貸出システム。
【請求項２】
前記コンセントアダプタは、
充電器のプラグの引抜を検知する検知部をさらに備え、
前記給電部は、前記検知部がプラグの引抜を検知した場合、給電を停止し、前記通信部は前記サービス制御装置に対し給電が終了したことを通知することを特徴とする請求項１に記載のコンセント貸出システム。
【請求項３】
前記通信部は、前記携帯通信端末から受信したユーザが延長を希望する時間を前記サービス制御装置へ送信し、前記サービス制御装置において前記サービス利用情報および前記ユーザが延長を希望する時間に基づく料金の精算が行われた後、前記サービス制御装置から延長時間および給電時間の再設定の指示を受信し、
前記給電部は、前記延長時間および前記給電時間の再設定の指示に応じて、前記給電時間に前記延長時間を加えて再設定することを特徴とする請求項１または２に記載のコンセント貸出システム。
【請求項４】
前記サービス制御装置は、前記コンセントアダプタと設置場所が同じであることを特徴とする請求項３に記載のコンセント貸出システム。
【請求項５】
前記サービス制御装置は、前記コンセントアダプタの設置場所と異なる場所に設置され、前記コンセントアダプタとインターネットによって接続されていることを特徴とする請求項３に記載のコンセント貸出システム。
【請求項６】
コンセントに取り付けられたコンセントアダプタと、前記コンセントアダプタの給電の制御を行うサービス制御装置と、前記サービス制御装置へサービス要求を行う携帯通信端末と、を有するコンセント貸出システムであって、前記コンセントアダプタが、前記携帯通信端末および前記サービス制御装置と通信回線で接続されたコンセント貸出システムで実行されるコンセント貸出方法であって、
前記サービス制御装置が、前記携帯通信端末に対し、サービスの時間および料金を含んだメニューと料金の支払方法の選択肢とを表示する指示を送信する第１の送信工程と、
前記携帯通信端末が、前記サービス制御装置によって送信されたサービスの時間および料金を含んだメニューと料金の支払方法の選択肢とを表示する第１の表示工程と、
前記携帯通信端末が、ユーザが選択したサービスの時間、料金および料金の精算に必要な情報を含むサービス利用情報を前記コンセントアダプタに送信する第２の送信工程と、
前記コンセントアダプタが、前記携帯通信端末によって送信された前記サービス利用情報を受信し、受信した前記サービス利用情報を前記サービス制御装置へ送信する第３の送信工程と、
前記サービス制御装置が、前記サービス利用情報に基づいて前記ユーザによって選択された支払方法を用いた料金の精算を行う精算工程と、
前記サービス制御装置が、前記コンセントアダプタに対し前記給電時間および前記給電の開始の指示を送信する指示工程と、
前記コンセントアダプタが、前記サービス制御装置から給電時間および給電の開始の指示を受信し、携帯電子機器への給電を開始し、前記給電時間の経過後に携帯電子機器への給電を停止する給電工程と、
前記携帯通信端末が、前記給電時間をタイマー形式で表示する第２の表示工程と、
を含んだことを特徴とするコンセント貸出方法。
【発明の詳細な説明】
【技術分野】
【０００１】
本発明は、コンセントアダプタ、コンセント貸出システムおよびコンセント貸出方法に関する。
【背景技術】
【０００２】
近年、ノートＰＣやスマートフォン等の携帯電子機器所有者が増加している。携帯電子機器所有者は、外出先において携帯電子機器を使用することがあり、その際、充電等の目的で、電源コンセントを必要とする場合がある。特に、オリンピックなどのイベントがある場合、旅行先や外出先で携帯電子機器を使用する人が増え、さらに携帯電子機器の使用機会も増え、外出先における電源コンセントの需要も増加すると考えられる。
【０００３】
携帯電子機器所有者は、携帯電子機器のバッテリを消耗した場合、最終的に飲食店やコンビニなどのコンセントを借りることで充電を行うことを考える。この時、飲食店等が、備え付けの電源コンセントを自由に使用できる状態にしておくことで携帯電子機器所有者に開放することが考えられる（例えば、非特許文献１）。
【先行技術文献】
【非特許文献】
【０００４】
【非特許文献１】“マクドナルドforモバイルとは？”、[online]、マクドナルドforモバイル、[2014年11月4日検索]、インターネット＜ＵＲＬ：http://mac.af-e.net/＞
【発明の概要】
【発明が解決しようとする課題】
【０００５】
しかしながら、原則として電気は有料であり、全ての提供者が常に無料でコンセントを自由に使用させることができるとは限らず、ユーザに無断で使用されたくない場合もある。その場合、提供者の判断でコンセントの使用を有料とするか無料とするかを決定できるようにすることが考えられる。
【０００６】
コンセントを有料で提供する場合、ユーザと提供者との間で、コンセントの使用許可の要求、コンセントの使用許可および料金の徴収等の手続きが行われる必要がある。しかし、これらの手続きをユーザと提供者の間で口頭等によって直接行うと、両者にとって時間的に負担がかかってしまい、効率が悪い。
【０００７】
そこで、この発明は、上述した従来技術の課題を解決するためになされたものであり、提供者がユーザに対してコンセントを有料で貸し出すための手続きを効率良く行うことを目的とする。
【課題を解決するための手段】
【０００８】
上述した課題を解決し、目的を達成するために、本発明に係るコンセントアダプタは、コンセントに取り付けられ、携帯通信端末およびサービス制御装置と通信回線で接続され、前記サービス制御装置の制御により充電器を介して接続された携帯電子機器に給電を行うコンセントアダプタであって、前記携帯通信端末から受信したユーザが選択したサービスの時間、料金および料金の精算に必要な情報を含むサービス利用情報を前記サービス制御装置へ送信し、前記サービス制御装置において前記サービス利用情報に基づく料金の精算が行われた後、前記サービス制御装置から給電時間および給電の開始の指示を受信する通信部と、前記給電の開始の指示に応じて給電を開始し、前記給電時間の経過後に給電を停止する給電部と、を備えたことを特徴とする。
【０００９】
また、本発明にかかるコンセント貸出システムは、コンセントに取り付けられたコンセントアダプタと、前記コンセントアダプタの給電の制御を行うサービス制御装置と、前記サービス制御装置へサービス要求を行う携帯通信端末と、を有するコンセント貸出システムであって、前記コンセントアダプタは、前記携帯通信端末および前記サービス制御装置と通信回線で接続され、前記携帯通信端末から受信したユーザが選択したサービスの時間、料金および料金の精算に必要な情報を含むサービス利用情報を前記サービス制御装置へ送信し、前記サービス制御装置において前記サービス利用情報に基づく料金の精算が行われた後、前記サービス制御装置から給電時間および給電の開始の指示を受信する通信部と、前記給電の開始の指示に応じて携帯電子機器への給電を開始し、前記給電時間の経過後に携帯電子機器への給電を停止する給電部と、を備え、前記携帯通信端末は、ユーザから操作されることによって、前記サービス利用情報を前記コンセントアダプタに送信し、前記サービス制御装置は、前記サービス利用情報に基づいて料金の精算を行う精算部と、前記精算部による料金の精算が完了した後、前記コンセントアダプタに対し前記給電時間および前記給電の開始の指示を送信する指示部と、を備えることを特徴とする。
【００１０】
また、本発明に係るコンセント貸出方法は、コンセントに取り付けられ、携帯通信端末およびサービス制御装置と通信回線で接続され、前記サービス制御装置の制御により充電器を介して接続された携帯電子機器に給電を行うコンセントアダプタと、前記コンセントアダプタの給電の制御を行うサービス制御部と、前記サービス制御装置へサービス要求を行う携帯通信端末と、を有するコンセント貸出システムで実行されるコンセント貸出方法であって、ユーザが選択したサービスの時間、料金および料金の精算に必要な情報を含むサービス利用情報を、前記携帯通信端末から前記コンセントアダプタを経由して前記サービス制御装置へ送信するサービス要求工程と、前記サービス制御装置が前記サービス利用情報に基づいて料金の精算を行う料金精算工程と、前記料金精算工程による料金の精算が完了した後、前記コンセントアダプタに対し給電時間および給電の開始の指示を送信する給電指示工程と、前記コンセントアダプタが前記給電の開始の指示に応じて給電を開始し、前記給電時間の経過後に給電を停止する給電工程と、を実行することを特徴とする。
【発明の効果】
【００１１】
開示のコンセント貸出装置によれば、提供者がユーザに対してコンセントを有料で貸し出すための手続きを効率良く行うことを可能にする。
【図面の簡単な説明】
【００１２】
【図１】図１は、実施例１に係るコンセントアダプタを含むコンセント貸出システムの構成の一例を説明するための図である。
【図２】図２は、サービス制御装置の記憶部に記憶されるデータの一例を示す図である。
【図３−１】図３−１は、実施例１に係るコンセントアダプタを含むコンセント貸出システムの処理手順を説明するためのシーケンス図である。
【図３−２】図３−２は、実施例１に係るコンセントアダプタを含むコンセント貸出システムの処理手順を説明するためのシーケンス図である。
【図４】図４は、実施例２に係るコンセントアダプタを含むコンセント貸出システムの処理手順を説明するためのシーケンス図である。
【図５−１】図５−１は、実施例３に係るコンセントアダプタを含むコンセント貸出システムの処理手順を説明するためのシーケンス図である。
【図５−２】図５−２は、実施例３に係るコンセントアダプタを含むコンセント貸出システムの処理手順を説明するためのシーケンス図である。
【図６】図６は、実施例４に係るコンセントアダプタを含むコンセント貸出システムの構成の一例を説明するための図である。
【図７】図７は、実施例４に係るコンセントアダプタを含むコンセント貸出システムの構成の一例を説明するための図である。
【発明を実施するための形態】
【００１３】
以下に添付図面を参照して、この発明に係るコンセントアダプタ、コンセント貸出システムおよびコンセント貸出方法の実施例を詳細に説明する。なお、この実施例によりこの発明が限定されるものではない。
【実施例１】
【００１４】
［実施例１に係るコンセント貸出システムの構成］
まず、図１を用いて、コンセント貸出システム１００の構成を説明する。図１は、実施例１に係るコンセントアダプタを含むコンセント貸出システムの構成の一例を説明するための図である。図１に示すように、コンセント貸出システム１００は、携帯通信端末６０、携帯電子機器２０、コンセントアダプタ３０、コンセント４０およびサービス制御装置５０を有する。なお、ここで説明する構成はあくまで一例であり、他のさまざまな形態でも実施が可能である。
【００１５】
コンセント貸出システム１００は、充電器１０の端末側充電器プラグ１２が携帯電子機器２０の接続端子に電気的に接続され、コンセント側充電器プラグ１３がコンセントアダプタ３０の接続端子に電気的に接続されることで、コンセント４０からの電力により携帯電子機器２０のバッテリ（図示省略）が充電されるものである。
【００１６】
充電器１０は、携帯電子機器２０の充電を行う充電装置である。また、充電器１０は、携帯電子機器２０の所有者が外出先で他者のコンセント４０を借りて充電することができるように持ち運びできる充電器である。
【００１７】
携帯電子機器２０は、携帯電話機、スマートフォン、タブレット型端末や、ノート型ＰＣや、ＰＤＡ（Personal  Digital  Assistant）等の携帯型の情報処理装置である。また、携帯電子機器２０は、バッテリを搭載している。
【００１８】
コンセントアダプタ３０は、コンセント４０に取り付けられ、携帯通信端末６０およびサービス制御装置５０と通信回線で接続され、携帯電子機器２０に給電を行う。また、コンセントアダプタ３０は、交流電源を直流電源に変換するＡＣアダプタであり、例えば、１００Ｖの交流の商用電源を降圧して５Ｖの直流電源に変換する。このコンセントアダプタ３０は、例えば、携帯電子機器２０の所有者の外出先の店舗等のコンセント４０に取り付けられており、携帯電子機器２０の所有者の充電を有料で受け入れる。なお、コンセント４０は、複数のコンセント差込口で構成され、コンセント差込口ごとにコンセントＩＤがそれぞれ割り当てられているものとする。
【００１９】
サービス制御装置５０は、コンセントアダプタ３０と通信回線により接続され、受信したサービス要求等に応じて給電の制御を行う。サービス制御装置５０は、例えば、コンセント４０の提供者等が所有する情報処理装置であり、例えば、デスクトップ型ＰＣや、ノート型ＰＣや、タブレット端末や、携帯電話機や、ＰＤＡ等である。また、サービス制御装置５０は、コンセント４０が提供される店舗等の内部、またはデータセンタ等の外部に備えられたサーバであっても良い。
【００２０】
携帯通信端末６０は、コンセントアダプタ３０と、無線または有線による通信を行う。携帯通信端末６０は、サービス制御装置５０に対して給電サービスの要求等を送信し、サービス制御装置５０から料金に関する情報や通知等を受信する。携帯通信端末６０は、携帯電話機、スマートフォン、タブレット型端末や、ノート型ＰＣや、ＰＤＡ（Personal  Digital  Assistant）等の無線または有線による通信が可能な情報処理装置である。また、携帯電子機器２０が携帯通信端末６０としても機能するようにしても良い。
【００２１】
ここで、以下に、図１に図示された充電器１０、コンセントアダプタ３０およびサービス制御装置５０についての各構成について説明する。
【００２２】
［充電器の構成］
図１に示すように、充電器１０は、充電制御部１１、端末側充電器プラグ１２、コンセント側充電器プラグ１３および充電器コード１４を有する。また、端末側充電器プラグ１２が携帯電子機器２０の接続端子に電気的に接続され、コンセント側充電器プラグ１３がコンセントアダプタ３０の接続端子に電気的に接続される。また、充電制御部１１と端末側充電器プラグ１２とが充電器コード１４で接続されている。
【００２３】
ここで、端末側充電器プラグ１２は、携帯電子機器２０の接続端子の形状に適合できるものであればよく、どのような形状であってもよい。例えば、携帯電子機器２０の機種ごとや、国・地域ごとに形状が異なる接続端子に適合できるように、形状が異なる端末側充電器プラグ１２を有する複数種類の充電器１０を用意するようにしてもよい。
【００２４】
また、コンセント側充電器プラグ１３も同様に、コンセントアダプタ３０の接続端子の形状に適合できるものであればよく、どのような形状であってもよい。例えば、国・地域ごとに形状が異なるコンセントアダプタ３０に適合できるように、形状が異なるコンセント側充電器プラグ１３を有する複数種類の充電器１０を用意するようにしてもよい。
【００２５】
また、充電制御部１１は、充電部１１ａを有する。充電部１１ａは、携帯電子機器２０の接続端子と端末側充電器プラグ１２とが電気的に接続した場合に、該携帯電子機器２０の充電を行う。また、充電部１１ａは、携帯電子機器２０のバッテリの充電が完了して受電が停止する。なお、コンセントアダプタ３０およびコンセント４０からの給電が行われていない場合は、充電部１１ａは携帯電子機器２０への充電は当然行われない。
【００２６】
［コンセントアダプタの構成］
コンセントアダプタ３０は、通信部３１、表示部３２、検知部３３および給電部３４を有する。コンセントアダプタ３０は、充電器１０およびコンセント４０と電気的に接続されている。
【００２７】
通信部３１は、携帯通信端末６０およびサービス制御装置５０との間で、無線または有線による通信を行う。通信部３１は、携帯通信端末６０から受信したユーザが選択したサービスの時間、料金および料金の精算に必要な情報を含むサービス利用情報をサービス制御装置５０へ送信し、サービス制御装置５０においてサービス利用情報に基づく料金の精算が行われた後、サービス制御装置５０から給電時間および給電の開始の指示を受信する。さらに、通信部３１は、携帯通信端末６０から受信した情報をサービス制御装置５０に送信し、サービス制御装置５０から受信した情報を携帯通信端末６０へ送信する中継地点としての機能を有する。即ち、携帯通信端末６０と、サービス制御装置５０との間の通信はコンセントアダプタ３０を経由して行われる。
【００２８】
また、通信部３１は、携帯通信端末６０から受信したユーザが延長を希望する時間をサービス制御装置５０へ送信し、サービス制御装置５０においてサービス利用情報およびユーザが延長を希望する時間に基づく料金の精算が行われた後、サービス制御装置５０から延長時間および給電時間の再設定の指示を受信する。
【００２９】
表示部３２は、点灯、点滅、消灯等により給電状態を示すランプ等である。検知部３３は、充電器のプラグの引抜を検知する。検知部３３は、具体的には、コンセント側充電器プラグ１３と接続される接続端子の状態を監視し、コンセント側充電器プラグ１３の差込および引抜を検知する。なお、給電部３４は、検知部３３がプラグの引抜を検知した場合、給電を停止し、通信部３１はサービス制御装置５０に対し給電が終了したことを通知する。
【００３０】
給電部３４は、給電の開始の指示に応じて携帯電子機器２０への給電を開始し、給電時間の経過後に携帯電子機器２０への給電を停止する。また、給電部３４は、検知部３３がコンセント側充電器プラグ１３の差込および引抜を検知したこと等に起因して給電の開始および停止を行う。また、給電部３４は、延長時間および給電時間の再設定の指示に応じて、給電時間に延長時間を加えて再設定する。
【００３１】
［サービス制御装置の構成］
サービス制御装置５０は、通信部５１、判定部５２、精算部５３、指示部５４、記憶部５５を有する。
【００３２】
通信部５１は、コンセントアダプタ３０との間で、無線または有線による通信を行う。また、通信部５１は、料金の精算についての情報を送受信するため、クレジット会社や通信キャリア等と通信を行う。
【００３３】
判定部５２は、サービス要求を行ったユーザに対してサービスの提供が可能か否かを判定する。例えば、ユーザごとの会員登録の有効期限を記憶部５５に記憶させておき、サービス要求を行ったユーザの有効期限が過ぎている場合はサービスの提供が不可であると判定する。
【００３４】
精算部５３は、ユーザが選択した支払方法に従って、料金の精算を行う。精算部５３は、通信部５１を介して料金の精算に必要な情報をクレジット会社や通信キャリア等と送受信する。料金の精算に必要な情報としては、例えばユーザのクレジットカード番号や電話番号、支払われる金額等が挙げられる。
【００３５】
指示部５４は、通信部５１を介して携帯通信端末６０やコンセントアダプタ３０等に指示を行う。指示部５４は、ユーザからサービス要求が行われ、判定部５２でサービスの提供が可能であると判断された場合、携帯通信端末６０に対しメニューおよび料金の支払方法の選択肢の表示を指示する。また、指示部５４は、精算部５３において料金の精算が完了した場合、コンセントアダプタ３０に対しては給電時間を送信するとともに給電の開始を指示し、携帯通信端末６０に対しては精算完了通知および給電時刻の表示を指示する。
【００３６】
記憶部５５は、各種処理に要するデータや、各種処理結果を記憶するものであり、例えば、ＲＡＭ（Random  Access  Memory）、ＲＯＭ（Read  Only  Memory）、フラッシュメモリ（Flash  Memory）等の半導体メモリ素子、又は、ハードディスク、光ディスク等の記憶装置である。
【００３７】
図２は、サービス制御装置の記憶部に記憶されるデータの一例を示す図である。記憶部５５は、サービスを提供中のコンセントおよびユーザを延長待機状態として記憶する。記憶部５５は、図２に示すように、コンセント差込口を識別する「コンセントＩＤ」と、現在コンセントを使用しているユーザの「ユーザＩＤ」と、選択したメニューに応じた「タイマー満了時刻」を紐付けて記憶する。図２では、例えば、コンセントＩＤが「Ａ」であるコンセント差込口をユーザＩＤが「１」であるユーザが使用中で、「１２：００」に満了時刻となることを示している。
【００３８】
［コンセント貸出システムによる処理］
次に、図３−１および３−２を用いて、実施例１に係るコンセント貸出システム１００による処理の一例を説明する。図３−１および３−２は、実施例１に係るコンセントアダプタを含むコンセント貸出システムの処理手順を説明するためのシーケンス図である。なお、図３−１および３−２の例では、点線で示される処理は、人や物の動作を示すものである。
【００３９】
図３−１に示すように、携帯機器所有者、即ちユーザは携帯通信端末６０のサービスアプリを起動し（ステップＳ１０１）、サービス要求を行う（ステップＳ１０２）。ユーザによりサービス要求が行われると、携帯通信端末６０はコンセントアダプタ３０に対して無線接続を行い、サービス要求およびユーザＩＤを送信し（ステップＳ１０３）、さらに、コンセントアダプタ３０は、サービス制御装置５０に対して、受信したサービス要求およびユーザＩＤを送信する（ステップＳ１０４）。この時、コンセントアダプタ３０は、サービス制御装置５０に対してコンセントＩＤを送信する。
【００４０】
サービス制御装置５０は、サービス要求を受けると、ユーザＩＤに基づきサービス提供の可否を判定し、サービス提供が可能である場合はメニューとして表示する時間や料金、また、料金の支払い方法を確認し（ステップＳ１０５）、携帯通信端末６０へメニューおよび支払方法の選択肢の表示を指示する（ステップＳ１０６）。
【００４１】
ここで、携帯通信端末６０は指示されたメニューおよび支払方法の選択肢を表示し（ステップＳ１０７）、ユーザは表示されたメニューおよび支払方法の選択肢から、希望するサービスおよび支払方法を選択する（ステップＳ１０８）。そして、携帯通信端末６０は、ユーザが選択したサービスおよび支払方法をコンセントアダプタ３０に通知し、さらに、コンセントアダプタ３０は、サービス制御装置５０に対して、受信したサービスおよび支払方法を送信する（ステップＳ１０９）。ここで、ユーザは支払方法と同時に、精算に必要な情報を送信する。精算に必要な情報は、ユーザが直接入力するようにしても良いし、予め携帯通信端末６０に記憶させておくようにしても良い。
【００４２】
次に、サービス制御装置５０は、精算に必要な情報に基づき、クレジット会社や通信キャリア等に確認を取り、了承を得ることで料金の精算を行う（ステップＳ１１０）。料金の精算が完了すると、サービス制御装置５０は、携帯通信端末６０に対して精算完了通知および給電時刻の表示の指示を送信する（ステップＳ１１１）。
【００４３】
そして、図３−２に示すように、サービス制御装置５０は、コンセントアダプタ３０に対して給電時間を送信するとともに、給電の開始を指示する（ステップＳ１１３）。この時、携帯通信端末６０は、サービスアプリの画面等に指示された給電時刻をタイマー形式で表示する（ステップＳ１１２）。また、サービス制御装置５０は、サービス提供中のユーザをサービス延長待機状態とし、給電時間の延長の請求に備える（ステップＳ１１５）。そして、コンセントアダプタ３０は、プラグ差込状態を監視しつつ、ランプを点灯させることで、給電状態であることを表示する（ステップＳ１１４）。
【００４４】
ユーザは、コンセントアダプタ３０のランプや携帯通信端末６０の画面表示等から、給電が開始されたことを察知し、プラグを差し込むことで、携帯電子機器２０をコンセントアダプタ３０と充電器１０を介して接続する（ステップＳ１１６）。コンセントアダプタ３０は、プラグが差し込まれたことを検知し、タイマーを設定して携帯電子機器２０に対して給電を開始し、給電中はプラグの状態を監視する（ステップＳ１１７）。
【００４５】
コンセントアダプタ３０は、給電を行い（ステップＳ１１８）、タイマーの満了が近付くと、ランプを点滅させることによって警告を表示する（ステップＳ１１９）。同時に、携帯通信端末６０は、サービスアプリの画面等に、タイマーの満了が近付いてきた旨を表示し、警告を行う。さらに、携帯通信端末６０は、ユーザに対して延長の要否を表示し、延長が行われなかった場合は継続してタイマーを進め、満了になると満了した旨を表示する（ステップＳ１２１）。この時、コンセントアダプタ３０のタイマーも満了となるため、コンセントアダプタ３０はランプを消灯し給電を停止する（ステップＳ１２０）。そして、コンセントアダプタ３０は、サービス制御装置５０に対してサービス終了の通知を行う（ステップＳ１２３）。
【００４６】
ユーザは、コンセントアダプタ３０のランプや携帯通信端末６０の画面表示等から、満了になったこと察知し、携帯電子機器をコンセントアダプタ３０から分離し回収する（ステップＳ１２２）。サービス終了の通知を受けたサービス制御装置５０は、ユーザのサービス延長待機状態を解除する（ステップＳ１２４）。
【００４７】
[実施例１の効果]
上述してきたように、コンセント貸出システム１００では、ユーザとコンセント提供者の間で行われるサービス提供に係るほとんどの手続きが自動的に行われる。このため、コンセント提供者は一切の手続きを行う必要がなく、また、ユーザは携帯通信端末６０を操作するだけで済むため、効率よくコンセントを有料で貸し出すことができる。また、料金の精算が完了するまでは給電が行われないため、コンセント提供者は無断でコンセントを使用されることがない。
【実施例２】
【００４８】
［充電が中断された場合の処理］
実施例２では、充電が中断された場合の処理について説明する。図４は、実施例２に係るコンセントアダプタを含むコンセント貸出システムの処理手順を説明するためのシーケンス図である。図４に示すように、タイマーが満了する前に、ユーザが携帯電子機器２０をコンセントアダプタ３０から分離し回収した場合（ステップＳ２０１）、コンセントアダプタ３０はプラグが引き抜かれたことを検知し、タイマーおよび給電を停止し、ランプを消灯する（ステップＳ２０２）。
【００４９】
そして、コンセントアダプタ３０は、サービス制御装置５０に対してサービス終了の通知を行う（ステップＳ２０３）。サービス終了の通知を受けたサービス制御装置５０は、ユーザのサービス延長待機状態を解除する（ステップＳ２０４）。
【００５０】
[実施例２の効果]
ユーザが充電を中断した場合でも、サービス提供者が手続きを行うことなく自動的にサービス延長待機状態を解除するため、次のユーザが速やかに同じコンセントを使用することができる。
【実施例３】
【００５１】
［サービスを延長する場合の処理］
実施例３では、サービスを延長する場合の処理について説明する。図５−１および５−２は、実施例３に係るコンセントアダプタを含むコンセント貸出システムの処理手順を説明するためのシーケンス図である。図５−１に示すように、コンセントアダプタ３０は、給電中にタイマーが満了に近付くと、ランプを点滅させることによって警告を表示する（ステップＳ３０２）。同時に、携帯通信端末６０は、サービスアプリの画面等に、タイマーが満了に近付いてきた旨を表示し、警告を行う。さらに、携帯通信端末６０は、ユーザに対して延長の要否を表示し、延長が行われた場合はタイマーの表示を中止し、メニューを表示する（ステップＳ３０１）。
【００５２】
ユーザは、携帯通信端末６０に表示されたメニューの中からサービスを選択し（ステップＳ３０３）、携帯通信端末６０はユーザが選択したサービスをコンセントアダプタ３０に通知する（ステップＳ３０４）。そして、コンセントアダプタ３０はタイマーを中断し（ステップＳ３０５）、サービス制御装置５０に対して、受信したサービスを送信する（ステップＳ３０６）。
【００５３】
サービス制御装置５０は、精算に必要な情報に基づき、クレジット会社や通信キャリア等に確認を取り、了承を得ることで料金の精算を行う（ステップＳ３０７）。料金の精算が完了すると、サービス制御装置５０は、携帯通信端末６０に対しては精算完了通知および延長した給電時刻の表示を指示する（ステップＳ３０８）。
【００５４】
そして、サービス制御装置５０は、コンセントアダプタ３０に対して延長時間を送信するとともに、給電時間の再設定を指示する（ステップＳ３１０）。この時、携帯通信端末６０は、サービスアプリの画面等に指示された延長した給電時刻をタイマー形式で表示する（ステップ３０９）。コンセントアダプタ３０は、タイマーを延長した給電時刻で再設定し、プラグ差込状態を監視しつつ給電を行う（ステップＳ３１１）。
【００５５】
[実施例３の効果]
サービスの提供を延長する場合でも、料金の精算が行われるため、サービス提供者は無断でコンセントを使用されることがない。
【実施例４】
【００５６】
さて、これまで本発明の実施例について説明したが、本発明は上述した実施例以外にも、種々の異なる形態にて実施されてよいものである。そこで、以下では実施例４として本発明に含まれる他の実施例を説明する。
【００５７】
［コンセントアダプタとサービス制御装置の配置］
本発明のコンセントアダプタ３０とサービス制御装置５０は、図６に示すような配置とすることが考えられる。図６は、実施例４に係るコンセントアダプタを含むコンセント貸出システムの構成の一例を説明するための図である。
【００５８】
図６に示すように、コンセントアダプタ３０とサービス制御装置５０が、例えば同じ建物内に設置される場合、サービス設備提供者はコンセントアダプタ３０およびサービス制御装置５０を貸し出し、サービス提供者は貸出料を支払う。
【００５９】
また、本発明のコンセントアダプタ３０とサービス制御装置５０は、図７に示すような配置とすることが考えられる。図７は、実施例４に係るコンセントアダプタを含むコンセント貸出システムの構成の一例を説明するための図である。
【００６０】
図７に示すように、コンセントアダプタ３０が各建物内に設置され、サービス制御装置５０が建物の外部に設置されたインターネット上のサーバ等である場合、サービス提供者はコンセントアダプタ３０を設置した各建物の店舗等に対して場所代等を支払う。この場合、サービス制御装置５０によって、複数の店舗に設置したコンセントアダプタ３０を制御するようにしても良い。
【００６１】
[実施例４の効果]
コンセント貸出のサービスを提供する期間、料金設定、場所等に合わせて、コンセントアダプタ３０およびサービス制御装置５０の配置を柔軟に行うことができ、様々なビジネスモデルに対応することができる。
【００６２】
［システム構成］
また、本実施例において説明した各処理の内、自動的に行われるものとして説明した処理の全部又は一部を手動的に行うこともでき、あるいは、手動的に行われるものとして説明した処理の全部又は一部を公知の方法で自動的に行うこともできる。この他、上述文書中や図面中で示した処理手順、制御手順、具体的名称、各種のデータやパラメータを含む情報については、特記する場合を除いて任意に変更することができる。
【００６３】
また、図示した各装置の各構成要素は機能概念的なものであり、必ずしも物理的に図示の如く構成されていることを要しない。すなわち、各装置の分散・統合の具体的形態は図示のものに限られず、その全部又は一部を、各種の負荷や使用状況などに応じて、任意の単位で機能的又は物理的に分散・統合して構成することができる。
【００６４】
［その他］
なお、本実施例で説明した処理を実行するプログラムは、インターネットなどのネットワークを介して配布することができる。また、プログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【符号の説明】
【００６５】
１０  充電器
１１  充電制御部
１１ａ  充電部
１２  端末側充電器プラグ
１３  コンセント側充電器プラグ
１４  充電器コード
２０  携帯電子機器
３０  コンセントアダプタ
３１  通信部
３２  表示部
３３  検知部
３４  給電部
４０  コンセント
５０  サービス制御装置
５１  通信部
５２  判定部
５３  精算部
５４  指示部
５５  記憶部
６０  携帯通信端末
１００  コンセント貸出システム
【図１】
0006325467.tif 000002
【図２】
0006325467.tif 000003
【図３−１】
0006325467.tif 000004
【図３−２】
0006325467.tif 000005
【図４】
0006325467.tif 000006
【図５−１】
0006325467.tif 000007
【図５−２】
0006325467.tif 000008
【図６】
0006325467.tif 000009
【図７】
0006325467.tif 000010